(57)【要約】【課題】人の通行により外れてしまうことを抑制でき、枠体への取り付けが容易な戸当りパッキンを備えた開口部装置を提供する。【解決手段】開閉可能な戸体と、該戸体の接触を受ける戸当りパッキンを少なくとも下枠に備えた枠体とを具備する開口部装置において、下枠室外側上面に上向きに開口する上部溝を設けるとともに、下枠の室外側側面に室外側に開口する側部溝を設け、戸当りパッキンには上部溝に係合する上部係合部と、側部溝に係合する側部係合部とを設ける。【選択図】      図３
2004308148.tif 000002
【特許請求の範囲】
【請求項１】
開閉可能な戸体と、該戸体の接触を受ける戸当りパッキンを少なくとも下枠に備えた枠体とを具備する開口部装置であって、
前記下枠室外側上面には上向きに開口する上部溝が設けられるとともに、前記下枠の室外側側面には室外側に開口する側部溝が設けられ、
前記戸当りパッキンには前記上部溝に係合する上部係合部と、前記側部溝に係合する側部係合部とが設けられている、
ことを特徴とする開口部装置。
【請求項２】
前記上部溝には折り返し形状が設けられるとともに、前記上部係合部にも折り返し形状が形成され、
前記側部係合部は、先端部が楔形状に形成されるとともに抜け止め形状を備えることを特徴とする請求項１に記載の開口部装置。
【請求項３】
前記戸当りパッキンの楔形状がなす面の一部と、前記側部溝の内面の一部とが、前記枠体長手方向に面接触可能に構成されている請求項２に記載の開口部装置。
【発明の詳細な説明】
【０００１】
【発明の属する技術分野】
本発明は、開口部装置にかかり、特に開口部を通過する人の通行により外れることが少なく、メインテナンス性に優れる戸当りパッキンを備えた開口部装置に関する。
【０００２】
【従来の技術】
戸建住宅や、集合住宅の玄関などには、枠体に開閉機構を介して戸体が取り付けられている開口部装置が使用されることが多い。このような開口部装置の場合、戸体が閉鎖される場合に枠体に衝撃がかからないように、枠体の戸体に面する側に戸当りパッキンと称される緩衝部材が取り付けられている。この戸当りパッキンにより、戸体を閉鎖する際の戸体と枠体との衝撃を和らげるとともに、戸体と枠体との間を密着させて、気密・水密を図ることが可能となる。
【０００３】
このような従来の戸当りパッキンを枠体に取り付ける場合、図７に示すように、断面形状で示した場合、枠体７１側に凹部又は湾入部７２を設ける一方、パッキン側７３にはドッグボーン状の嵌入部７４を形成して、パッキンの嵌入部７４を横方向から枠体の湾入部７２内部に差し入れるようにしてパッキン７３を枠体に組み付け、パッキン７３の両端部を枠体に接着剤にて接着して固定を図っている。
【０００４】
【発明が解決しようとする課題】
しかし、この戸当りパッキンが枠体の下枠に取り付けられている場合、人がその開口部を出入りするので、パッキンを踏みつけることがあり、状況により、パッキンを下枠から引き剥がす方向への力がかかることが多々ある。したがって、人が通行することにより、戸当りパッキンが下枠から外れてしまうことがあるという問題があった。また、図７に示したような構造の下枠とパッキンの場合、下枠にパッキンを取り付けるには下枠の一の端部にパッキンの端部を差し込んでしごき入れるようにはめ込む作業を必要とし、この作業が繁雑で煩わしいという問題もあった。
【０００５】
そこで、本発明は、人の通行により外れてしまうことを抑制でき、枠体への取り付けが容易な戸当りパッキンを備えた開口部装置を提供することを課題とする。
【０００６】
【課題を解決するための手段】
以下、本発明について説明する。なお、本発明の理解を容易にするために添付図面の参照符号を括弧書きにて付記するが、それにより本発明が図示の形態に限定されるものではない。
【０００７】
請求項１の発明は、開閉可能な戸体（４）と、該戸体の接触を受ける戸当りパッキン（３０）を少なくとも下枠（２ｂ）に備えた枠体（２）とを具備する開口部装置（１）であって、前記下枠室外側上面には上向きに開口する上部溝（Ｂ１）が設けられるとともに、前記下枠の室外側側面には室外側に開口する側部溝（Ｂ２）が設けられ、前記戸当りパッキンには前記上部溝に係合する上部係合部（Ｍ）と、前記側部溝に係合する側部係合部（Ｎ）とが設けられていることを特徴とする開口部装置を提供して前記課題を解決する。
【０００８】
この発明によれば、下枠に取り付けられた戸当りパッキンを人が踏みつけた場合、パッキン上部係合部が横方向及び下方向への力を受けるが、上部係合部は上向きの上部溝に係合されているので、上記の横方向及び下方向への力に抗して、両者の係合が容易に外れることがない。また、上部係合部の下方に配置される側部係合部は、側方に開口されている側部溝に係合されているので、上下方向の力に坑して戸当りパッキンが下枠から抜け出ることが防止される。このように異なる方向に組み合わされた複数の係合が協働することにより、上下方向及び横方向への力に抗して、戸当りパッキンが枠体（下枠）から抜け落ちることが防止される。
【０００９】
請求項２の発明は、請求項１に記載の開口部装置（１）において、前記上部溝（Ｂ１）には折り返し形状（１３２、１３３）が設けられるとともに、前記上部係合部（Ｍ）にも折り返し形状（３３、３４）が形成され、前記側部係合部（Ｎ）は、先端部（３５ａ）が楔形状に形成されるとともに抜け止め形状（３５ｂ）を備えることを特徴とする。
【００１０】
この発明によれば、上部溝と上部係合部とは折り返し形状同士が係合しあうことが可能となり、さらに係合が外れ難い構造を取ることが容易である。また、側部係合部には抜け止め形状が備えられているので、側部溝から脱落することを防止しやすい。さらに、戸当りパッキンの上部係合部の折り返し部を枠体（下枠）上部溝に、また戸当りパッキンの側部係合部の楔状先端を側部溝に当接してそのまま押し込めば両者を一体に組み立てることが容易であり、組み立て時の作業性がすこぶる良い。
【００１１】
請求項３の発明は、請求項２に記載の開口部装置（１）において、戸当りパッキン（３０）の楔形状がなす面の一部（３５ｃ）と、前記側部溝（Ｂ２）の一部（１３５）とが、枠体（２）長手方向に面接触可能に構成されていることを特徴とする。
【００１２】
この発明によれば、面接触可能な戸当りパッキンの楔形がなす面の一部と、側部溝の内面の一部とを、接着剤により接着して、戸当りパッキンを枠体（下枠）に堅固に固定して一体化することが容易となる。
【００１３】
本発明のこのような作用及び利得は、次に説明する実施の形態から明らかにされる。
【００１４】
【発明の実施の形態】
以下本発明を図面に示す実施形態に基づき説明する。
【００１５】
図１は、本発明の開口部装置を室内側視点より示す正面図である。図１において、開口部装置１はテラスドア等のドア装置で、開口部装置１は複層ガラスを備え、樹脂アルミ複合サッシドアとして構成されている。この開口部装置１は、建物の躯体の開口に取付けられる枠体２と、この枠体２内に蝶番３ａ、３ｂ、３ｃを介して室外側に回動自在に吊り込まれた戸体４とを備えている。前記枠体２は、上枠２ａ、下枠２ｂおよび左右の縦枠２ｃ、２ｄにより四方枠状に形成されている。上枠２ａおよび左右の縦枠２ｃ、２ｄは、樹脂アルミ複合サッシからなり、略同一断面形状に形成されている。下枠２ｂは、押出し成型されたアルミニウムサッシにより形成されている。
【００１６】
戸体４は、上桟４ａと下桟４ｂと、左右の縦框４ｃ、４ｄからなる戸体枠にガラスパネル５がはめ込まれている。左縦框４ｃには前記蝶番３ａ、３ｂ、３ｃが取り付けられ、これを介して戸体４が枠体２の縦枠２ｃに取り付けられている。右縦框４ｄの高さ方向略中央部にはドアノブ６が取り付けられている。使用者はドアノブ６に手を掛けてドアノブ６を垂直方向に回動させることにより、戸体４を蝶番３ａ、３ｂ、３ｃの軸芯の回りに回動させて室外側に開くことができる。
【００１７】
図２は、図１におけるＩＩ−ＩＩ線に沿った垂直断面図である。図２の上端及び下端には上枠２ａと下枠２ｂとが表されている。上枠２ａは、室内側（図において右方向）に樹脂パネル２１を装着した上枠サッシ２２を備えている。上枠２２の室外側向きの面の下端には上部戸当りパッキン２３が取り付けられている。下枠２ｂはアルミニウムサッシ３１を主体に構成され、その室外側向きの面の上端には本発明の特徴的部分である下部戸当りパッキン３０が取り付けられている。上部戸当りパッキン２３、及び下部戸当りパッキン３０については後に詳しく説明する。
【００１８】
上下の枠２ａ、２ｂの間には、戸体４が配置されている。戸体４は、上桟２ａと、下桟２ｂとを備えている。上桟２ａは、サッシ部２５と、サッシ部２５の室内側に装着された樹脂パネル２４とを備えている。同様に、下桟２ｂは、サッシ部２９と、サッシ部２９の室内側に装着された樹脂パネル２８とを備えている。上下のサッシ部２５及び２９の間にはグレージングチャネル２６、２７を介して、スペーサ３２、３３を狭持するように複層ガラス５ａ、５ｂが装着されている。
【００１９】
図３は、図２における参照符号Ａで示された部分を拡大して示す図である。本図において、下部戸当りパッキン３０が中央部にスマッジングを付されて表されている。戸当りパッキン３０は、上部水平部３２と、上部水平部３２の室内端部が下方に折り返された右側垂直部３３とが形成され、右側垂直部３３の下端はさらに室外側に折り返されて中央水平部３４を形成している。右側垂直部３３と、中央水平部３４とは、上部係合部Ｍを形成している。一方上部水平部３２の中央やや室内側よりの下面からは中央垂直部３９が下方に向けて延在している。中央垂直部３９の下端よりやや上方の室内側面からは室内方向に向けて楔部３５が延設されている。楔部３５は、室内方向先端が楔状をしており、下方に向けて返し部３５ｂが設けられている。楔部３５、及び返し部３５ｂは、側部係合部Ｎを形成している。
【００２０】
中央垂直部３９の下端には室外方向に向けて下部水平部３６が上部水平部の略２分の１の長さに延設されている。中央垂直部３９と下部水平部３６との交点付近から上部水平部３２の室外側端部やや室内よりの下面に向けて斜行部３７が設けられている。斜行部３７の上端は上部水平部３２の下面に接合されている。さらに上部水平部３２の室外側先端からは下方に向けて左側垂直部３８が延在する。左側垂直部３８の長さは略中央垂直部と同一である。左側垂直部３８の下端は自由端となっている。
【００２１】
次に下部戸当りパッキン３０が取り付けられている下枠２ｂのアルミニウムサッシ３１の構造について戸当りパッキン３０との関係を中心に説明する。下枠２ｂの室内側に面する垂直な主端面１２０の上端近傍から室外側に向けて水平部１３０が延設されている。水平部１３０の室外側先端には、水平部１３０とともに略「Ｔ」字状を形成する第一垂直部１３３が設けられている。第一垂直部１３３の室外側の面は下部戸当りパッキン３０の中央垂直部３９の室内側面に当接されている。第一垂直部１３３の上端はさらに室内側に折り返された折り返し部１３２を形成している。水平部１３０の中央やや室外側寄り上面からは第一垂直片１３１が立設されている。第一垂直片１３１の室外側面は戸当りパッキン３０の右側垂直部３３の室内側面に当接されている。
【００２２】
水平部１３０、第一垂直片１３１、折り返し部１３２、及び第一垂直部１３３に囲まれた部分は、上部溝Ｂ１を形成している。第一垂直部１３３と折り返し部１３２とは、戸当りパッキン３０の右側垂直部３３及び中央水平部３４と互いの折り返しが絡み合うように係合している。換言すれば、戸当りパッキン３０の上部係合部Ｍと、下枠２ｂの上部溝Ｂ１とが係合している。上記のような位置関係をとることにより、戸当りパッキン３０の係合部Ｍ、とくに右側垂直部３３の自由な動きが規制され、両者の係合がさらに強固にされている。
【００２３】
第一垂直部１３３の下方には水平部１３０の下面より第二垂直片１３４が延設されている。第二垂直片１３４の先端からは室外方向下方に斜行する斜行片１３５が設けられ、斜行片１３５の先端はさらに上方に折り返されて、上向き部１３６を形成している。第一垂直部１３３、水平部１３０、第二垂直片１３４、斜行片１３５、及び上向き部１３６は湾型を形成しており、第一垂直部１３３、及び上向き部１３６がこの湾型の側部溝Ｂ２にあたる。このアルミニウムサッシ３１の側部溝Ｂ２に戸当りパッキン３０の側部係合部Ｎが係合されている。
【００２４】
楔部３５はその先端３５ａが楔形状をしているので、側部係合部Ｎを側部溝Ｂ２の入り口から円滑に内部に導き入れることができる一方、ひとたび楔部３５が側部溝Ｂ２に係合されると楔部３５には返し部３５ｂが形成されているので、側部係合部Ｎが側部溝Ｂ２から抜け落ちることがない。すなわち戸当りパッキン３０が下枠２ｂに堅固に保持される。
【００２５】
さらに、楔部３５の楔形状をなす下側傾斜面３５ｃとアルミニウムサッシ３１の斜行片１３５上面は面接触可能に形成されている。したがってこれら両面を接着剤にて固定することにより（通常は長手方向両端部のみの接着が行われる。）戸当りパッキン３０をアルミニウムサッシ３１に堅固に固定することができる。
【００２６】
かくして、アルミニウムサッシ３１に堅固に固定された戸当りパッキン３０は、図３の左側に示される戸体４が閉鎖される際の衝撃を和らげ、また戸体４が閉鎖された状態において戸体４と枠体２との気密を保つ機能を発揮する。実際に接触が行われるのは戸体４の樹脂パネル２８と、戸当りパッキン３０の右側垂直部３８である。右側垂直部３８の下端は自由端となっており、また、上部水平部３２及び斜行部３７が衝撃を受けると適度に撓み、緩衝機能及び気密機能を発揮する。
【００２７】
図４は、図１におけるＩＶ−ＩＶ線に沿った水平断面図である。図４においては、図１〜図３において説明した部材と同一部材は、それらと同一参照符号を付してそれらの説明は省略する。本実施形態においては本発明の特徴的部分である戸当りパッキン３０が上枠２ａ、及び下枠２ｂのみに使用されており、左右の横枠２ｃ、２ｄには通常のタイプの戸当りパッキン１００、２００が使用されている。
【００２８】
左縦枠２ｃには蝶番３ｂを介して戸体４が室外方向に開放化能に取り付けられている。左縦枠２ｃはアルミサッシ４１と、アルミサッシ４１に装着された樹脂パネル４２により構成されている。同様に右縦枠２ｄはアルミサッシ４３と、アルミサッシ４３に装着された樹脂パネル４４により構成されている。
【００２９】
戸体４の左縦框４ｃは、アルミサッシ４５と、アルミサッシ４５に装着された樹脂パネル４６により構成されている。同様に戸体４の右左縦框４ｄは、アルミサッシ４７と、アルミサッシ４７に装着された樹脂パネル４８により構成されている。左右の縦框４ｃ、４ｄの間にはグレージングチャネル４９、５０を介して、スペーサ５１、５２を狭持するように複層ガラスパネル５ａ、５ｂが配置されている。
【００３０】
図５は、第二実施形態にかかる開口部装置に使用される戸当りパッキンを示す断面図である。この実施形態では側部溝Ｂ２に係合する戸当りパッキン３０の側部係合部Ｎ（楔部３５）の形状が鏃形状となり、返し部が側部溝Ｂ２の二つの先端それぞれに対して形成されている。このような構成をとることにより、さらに下枠２ｂと戸当りパッキン３０との係合強度を高めることができる。
【００３１】
図６は、戸体４を開放した状態において、下枠２ｂに取り付けられた戸当りパッキン３０を示す斜視図である。下枠２ｂは、図１におけるＶＩ−ＶＩ線に沿った垂直面で切り欠かれた断面が表されている。戸当りパッキン３０は下枠２ｂに取り付けられた状態で、スマッジングが付されて表されている。図６に表されている戸体４が開放された状態においては、戸体４が閉鎖されている状態において、戸体４に当接されている、戸当りパッキン３０の右側垂直部３８は、戸当りパッキン３０が本来持つ弾性により、先端が斜め下方に伸びている。かくして戸体４が閉鎖されるときには、戸体４の下桟４ｂの室内側面が斜め下方に伸びている戸当りパッキンの右側垂直部３８に当接され、その弾性によって、衝撃を和らげられるようにして、枠体２に納まることができる。
【００３２】
本発明において、戸当りパッキン３０を構成する材料は特に限定するものではないが、適度な弾性を有するという観点からエラストマー樹脂が好ましく使用される。
【００３３】
なお、上記実施形態においては、テラスドアに本発明の開口部装置を適用した例について説明したが、本発明はこれに限定されるものではなく、玄関ドア、勝手口ドア当にも当然に適用できる。但しこれらの場合には、防犯上の観点から、複層ガラスパネルの大きさは最小限にとどめるか、あるいは全く使用しないことが好ましい。
【００３４】
さらに本発明は、上記のようないわゆるスイング形のドアを備えた開口部のみならず、引き違い式の障子を備えた開口部装置に適用することも可能である。このような場合には、障子とパッキンとの間に適切な隙間を設けることが好ましいことはいうまでもない。
【００３５】
また、上記実施形態では、上部に折り返し形状同士の係合、下部には溝とその溝に嵌入する楔形状との係合構造を配した例について説明したが、本発明はこれに限定されるものではなく、上記係合構造が上下逆に配置されていても良い。要は、二つの異なる形状を持つ係合構造が上下方向に組合わされて配置され、互いに協働して異なる方向の力に対して、パッキンと枠体とが引き離されることを防止することができるような構成をとっていればよい。
【００３６】
以上、現時点において、もっとも、実践的であり、かつ、好ましいと思われる実施形態に関連して本発明を説明したが、本発明は、本願明細書中に開示された実施形態に限定されるものではなく、請求の範囲および明細書全体から読み取れる発明の要旨或いは思想に反しない範囲で適宜変更可能であり、そのような変更を伴う開口部装置もまた本発明の技術的範囲に包含されるものとして理解されなければならない。
【００３７】
【発明の効果】
以上に説明したように、請求項１の発明によれば、下枠に取り付けられた戸当りパッキンを人が踏みつけた場合、パッキン上部係合部が横方向及び下方向への力を受けるが、上部係合部は上向きの上部溝に係合されているので、上記の横方向及び下方向への力に抗して、両者の係合が容易に外れることがない。また、上部係合部の下方に配置される側部係合部は、側方に開口されている側部溝に係合されているので、上下方向の力に坑して戸当りパッキンが下枠から抜け出ることが防止される。このように異なる方向に組み合わされた複数の係合が協働することにより、上下方向及び横方向への力に抗して、戸当りパッキンが枠体（下枠）から抜け落ちることが防止される。
【００３８】
請求項２の発明によれば、上部溝と上部係合部とは折り返し形状同士が係合しあうことが可能となり、さらに係合が外れ難い構造を取ることが容易である。また、側部係合部には抜け止め形状が備えられているので、側部溝から脱落することを防止しやすい。さらに、戸当りパッキンの上部係合部の折り返し部を枠体（下枠）上部溝に、また戸当りパッキンの側部係合部の楔状先端を側部溝に当接してそのまま押し込めば両者を一体に組み立てることが可能であり、組み立て時の作業性がすこぶる良い。
【００３９】
請求項３の発明によれば、面接触している戸当りパッキンの楔形がなす面の一部と、側部溝の内面の一部とを、接着剤により接着して、戸当りパッキンを枠体（下枠）に堅固に固定して一体化することが容易となる。
【図面の簡単な説明】
【図１】本発明の開口部装置を示す図である。
【図２】図１におけるＩＩ−ＩＩ線に沿った垂直断面図である。
【図３】図２における参照符号Ａで示された部分を拡大して示す図である。
【図４】図１におけるＩＶ−ＩＶ線に沿った水平断面図である。
【図５】第二実施形態にかかる開口部装置に使用される戸当りパッキンを示す断面図である。
【図６】戸体を開放した状態において、下枠に取り付けられた戸当りパッキンを示す斜視図である。
【図７】従来の戸当りパッキンの枠体への取り付けを示す断面図である。
【符号の説明】
Ｂ１  上部溝
Ｂ２  側部溝
Ｍ  上部係合部
Ｎ  側部係合部
１  開口部装置
２  枠体
２ｂ  下枠
４  戸体
３０  戸当りパッキン
３３  右側垂直部（折り返し部）
３４  中央水平部（折り返し部）
３５  楔部（嵌入部）
３５ａ  先端部
３５ｂ  返し部（抜け止め形状）
３５ｃ  下側傾斜面（楔形状がなす面の一部）
１３２  折り返し部
１３３  第一垂直部（折り返し部）
１３５  斜行片（湾入部内面の一部）
【図１】
2004308148.tif 000003
【図２】
2004308148.tif 000004
【図３】
2004308148.tif 000005
【図４】
2004308148.tif 000006
【図５】
2004308148.tif 000007
【図６】
2004308148.tif 000008
【図７】
2004308148.tif 000009